(57)【要約】【課題】従来のアーク溶接装置では、電流検出器からの信号や異常温度検出器からの出力により冷却ファンモータの駆動を動作または停止させたり、出力している電流により冷却ファンモータを選択したりしているため、冷却ファンモータの駆動制御において、消費電力を低減するためにはまだ十分とは言えず、さらに消費電力を低減することが困難となっている。【解決手段】溶接出力設定部からの設定値または電流検出器からの出力値または溶接出力時間によりファンモータの駆動時間を決定し、ファンモータの駆動時間を極力減少することができるため、一様にファンモータを回転させることに比べるとファンモータの冷却効率がよい状態で消費電力を低減することができる。【選択図】図１
2008000805.tif 000002
【特許請求の範囲】
【請求項１】
電極と母材との間にアークを発生させて溶接を行うアーク溶接装置において、
装置内を冷却するためのファンモータと、
前記ファンモータの回転や停止の制御を行うファン駆動回路と、
溶接出力停止後の前記ファンモータの駆動時間を決定する演算部と、
溶接出力を設定する溶接出力設定部を備え、
前記演算部は、前記溶接出力設定部により設定された設定値に基づいて溶接出力停止後のファンモータの駆動時間を決定するアーク溶接装置。
【請求項２】
演算部は、予め決められた溶接出力停止後のファンモータの第１の駆動時間と、前記第１の駆動時間よりも長い溶接出力停止後のファンモータの第２の駆動時間のうち、溶接出力設定部で設定される設定値が予め決められた基準値より低い場合には前記第１の駆動時間を選択し、高い場合には前記第２の駆動時間を選択する請求項１記載のアーク溶接装置。
【請求項３】
演算部は、アーク溶接装置の定格電流および定格使用率と、溶接出力設定部で設定される設定値をパラメータとして含む演算式に基づいて溶接出力停止後のファンモータの駆動時間を決定する請求項１記載のアーク溶接装置。
【請求項４】
電極と母材との間にアークを発生させて溶接を行うアーク溶接装置において、
装置内を冷却するためのファンモータと、
前記ファンモータの回転や停止の制御を行うファン駆動回路と、
溶接出力停止後の前記ファンモータの駆動時間を決定する演算部と、
溶接出力である出力電流を検出する電流検出部を備え、
前記演算部は、前記電流検出部により検出された出力電流値に基づいて溶接出力停止後のファンモータの駆動時間を決定するアーク溶接装置。
【請求項５】
演算部は、予め決められた溶接出力停止後のファンモータの第１の駆動時間と、前記第１の駆動時間よりも長い溶接出力停止後のファンモータの第２の駆動時間のうち、電流検出部で検出された出力電流値が予め決められた基準値より低い場合には前記第１の駆動時間を選択し、高い場合には前記第２の駆動時間を選択する請求項４記載のアーク溶接装置。
【請求項６】
演算部は、アーク溶接装置の定格電流および定格使用率と、電流検出部で検出された出力電流値をパラメータとして含む演算式に基づいて溶接出力停止後のファンモータの駆動時間を決定する請求項４記載のアーク溶接装置。
【請求項７】
電極と母材との間にアークを発生させて溶接を行うアーク溶接装置において、
装置内を冷却するためのファンモータと、
前記ファンモータの回転や停止の制御を行うファン駆動回路と、
溶接出力停止後の前記ファンモータの駆動時間を決定する演算部と、
溶接出力時間をカウントするカウンタ部を備え、
前記演算部は、前記カウンタ部のカウント結果に基づいて溶接出力停止後のファンモータの駆動時間を決定するアーク溶接装置。
【請求項８】
演算部は、予め決められた溶接出力停止後のファンモータの第１の駆動時間と、前記第１の駆動時間よりも長い溶接出力停止後のファンモータの第２の駆動時間のうち、カウンタ部でカウントしたカウント値が予め決められた基準値より低い場合には前記第１の駆動時間を選択し、高い場合には前記第２の駆動時間を選択する請求項７記載のアーク溶接装置。
【請求項９】
演算部は、アーク溶接装置の定格使用率と、カウンタ部でカウントされた溶接出力時間をパラメータとして含む演算式に基づいて溶接出力停止後のファンモータの駆動時間を決定する請求項７記載のアーク溶接装置。
【請求項１０】
電極と母材との間にアークを発生させて溶接を行うアーク溶接装置において、
装置内を冷却するためのファンモータと、
前記ファンモータの回転や停止の制御を行うファン駆動回路と、
溶接出力を設定する溶接出力設定部と、
溶接出力停止後の前記ファンモータの駆動時間を決定する演算部と、
溶接出力時間をカウントするカウンタ部を備え、
前記演算部は、前記溶接出力設定部で設定される設定値と前記カウンタ部のカウント結果に基づいて溶接出力停止後のファンモータの駆動時間を決定するアーク溶接装置。
【請求項１１】
演算部は、アーク溶接装置の定格出力電流および定格使用率と、溶接出力設定部で設定される設定値と、カウンタ部でカウントされた溶接出力時間をパラメータとして含む演算式に基づいて溶接出力停止後のファンモータの駆動時間を決定する請求項１０記載のアーク溶接装置。
【請求項１２】
電極と母材との間にアークを発生させて溶接を行うアーク溶接装置において、
装置内を冷却するためのファンモータと、
前記ファンモータの回転や停止の制御を行うファン駆動回路と、
溶接出力停止後の前記ファンモータの駆動時間を決定する演算部と、
溶接出力である出力電流を検出する電流検出部と、
溶接出力時間をカウントするカウンタ部を備え、
前記演算部は、前記電流検出部により検出された出力電流値と前記カウンタ部のカウント結果に基づいて溶接出力停止後のファンモータの駆動時間を決定するアーク溶接装置。
【請求項１３】
演算部は、アーク溶接装置の定格出力電流および定格使用率と、前記電流検出部により検出された出力電流値と、カウンタ部でカウントされた溶接出力時間をパラメータとして含む演算式に基づいて溶接出力停止後のファンモータの駆動時間を決定する請求項１２記載のアーク溶接装置。
【請求項１４】
内部に異常温度検出器を備え、前記異常温度検出器から出力される異常検出信号に基づいて、演算部で決定される溶接出力停止後のファンモータの駆動時間を延長する請求項１から１３のいずれか１項に記載のアーク溶接装置。
【発明の詳細な説明】
【技術分野】
【０００１】
電極と母材との間にアークを発生させて溶接を行う機器の内部温度上昇を抑制するために冷却用ファンを具備したアーク溶接装置に関するものである。
【背景技術】
【０００２】
従来から、アーク溶接装置には、内部温度上昇を抑制するために冷却ファンモータを内部に備えたものがある。アーク溶接装置の内部にある半導体およびトランスなどで構成される溶接機出力回路は、溶接出力を行う際に電流が流れることで発熱する。この発熱を抑制するために、冷却ファンが多く使用されている。そして、アーク溶接装置の電源が投入されている間に冷却ファンモータが駆動しているものと、駆動と共にこの冷却ファンモータの駆動を制御しているものがある。その中の１つとして、溶接機内部に備えたシャント抵抗に流れる電流に基づいて冷却ファンモータを駆動または停止しているものが知られている（例えば、特許文献１参照）。
【０００３】
図６は、上記従来の溶接機のファン制御装置の構成を示すものである。図６において、２１は電源、２２はリアクタ、２３はスイッチング素子、２４はシャント抵抗、２５はファン、２６は溶接部、２７は転流ダイオード、２８はノイズ除去増幅部、２９はファン駆動回路を表している。
【０００４】
ここで、図７について、必要な部分のみその動作について説明する。スイッチング素子２３が動作するとシャント抵抗２４に電流が流れる。このシャント抵抗２４で電流を検出し、所定の出力電流以上であればファン駆動回路２９が動作してファン２５が回転する。また、ファン２５は、溶接終了後、一定時間が経過すると自動的に停止する。
【０００５】
なお、冷却ファンを備えた別の溶接機として、異常温度検出信号を検出したときには、異常温度検出信号が解除されるまでファンの回転を継続するものが知られている（例えば、特許文献２参照）。
【０００６】
また、冷却ファンを備えた別の溶接機として、電流検出器により検出された電流により２個以上備えられた冷却ファンの駆動を選択するものが知られている（例えば、特許文献３参照）。
【特許文献１】実開平５−９７６４号公報
【特許文献２】特開２００２−６６７３８号公報
【特許文献３】特開平１１−２８５６９号公報
【発明の開示】
【発明が解決しようとする課題】
【０００７】
従来のアーク溶接装置では、シャント抵抗などの電流検出器の出力に基づいて冷却ファンモータの駆動や停止を行うもの、異常温度検出器からの出力に基づいて冷却ファンモータの駆動や停止を行うもの、出力している電流に基づいて駆動させる冷却ファンモータを選択するもの等があるが、ファンモータを効率良く駆動させる点や、バッテリーの消耗や溶接装置の消費電力を低減させるといった点については改善の余地がある。
【０００８】
アーク溶接装置は、そのほとんどが出力電流を増減することが可能であり、かつ、機器内部の仕様として定格使用率が設定されているため、この定格使用率に基づいてさらに冷却ファンモータを効率よく駆動させ、また、停止時間を増大させれば、各々の趣旨であるバッテリーの消耗の低減やアーク溶接装置の消費電力の低減をより効率よく行うことができる。
【０００９】
本発明は、冷却ファンモータを効率よく駆動させることで、溶接機の消費電力を低減させることを目的とする。
【課題を解決するための手段】
【００１０】
本発明のアーク溶接装置は、上記課題を解決するために、電極と母材との間にアークを発生させて溶接を行うアーク溶接装置において、装置内を冷却するためのファンモータと、前記ファンモータの回転や停止の制御を行うファン駆動回路と、溶接出力停止後の前記ファンモータの駆動時間を決定する演算部と、溶接出力を設定する溶接出力設定部を備え、前記演算部は、前記溶接出力設定部により設定された設定値に基づいて溶接出力停止後のファンモータの駆動時間を決定するものである。
【００１１】
また、本発明のアーク溶接装置は、電極と母材との間にアークを発生させて溶接を行うアーク溶接装置において、装置内を冷却するためのファンモータと、前記ファンモータの回転や停止の制御を行うファン駆動回路と、溶接出力停止後の前記ファンモータの駆動時間を決定する演算部と、溶接出力である出力電流を検出する電流検出部を備え、前記演算部は、前記電流検出部により検出された出力電流値に基づいて溶接出力停止後のファンモータの駆動時間を決定するものである。
【００１２】
また、本発明のアーク溶接装置は、電極と母材との間にアークを発生させて溶接を行うアーク溶接装置において、装置内を冷却するためのファンモータと、前記ファンモータの回転や停止の制御を行うファン駆動回路と、溶接出力停止後の前記ファンモータの駆動時間を決定する演算部と、溶接出力時間をカウントするカウンタ部を備え、前記演算部は、前記カウンタ部のカウント結果に基づいて溶接出力停止後のファンモータの駆動時間を決定するものである。
【００１３】
また、本発明のアーク溶接装置は、電極と母材との間にアークを発生させて溶接を行うアーク溶接装置において、装置内を冷却するためのファンモータと、前記ファンモータの回転や停止の制御を行うファン駆動回路と、溶接出力を設定する溶接出力設定部と、溶接出力停止後の前記ファンモータの駆動時間を決定する演算部と、溶接出力時間をカウントするカウンタ部を備え、前記演算部は、前記溶接出力設定部で設定される設定値と前記カウンタ部のカウント結果に基づいて溶接出力停止後のファンモータの駆動時間を決定するものである。
【００１４】
また、本発明のアーク溶接装置は、電極と母材との間にアークを発生させて溶接を行うアーク溶接装置において、装置内を冷却するためのファンモータと、前記ファンモータの回転や停止の制御を行うファン駆動回路と、溶接出力停止後の前記ファンモータの駆動時間を決定する演算部と、溶接出力である出力電流を検出する電流検出部と、溶接出力時間をカウントするカウンタ部を備え、前記演算部は、前記電流検出部により検出された出力電流値と前記カウンタ部のカウント結果に基づいて溶接出力停止後のファンモータの駆動時間を決定するものである。
【発明の効果】
【００１５】
以上のように、本発明の溶接装置によれば、溶接出力設定部からの設定値、または電流検出器からの出力値、または溶接出力時間に基づいて溶接出力停止後のファンモータの駆動時間を決定するので、ファンモータの駆動時間を極力減少することができ、一様にファンモータを回転させることに比較するとファンモータの冷却効率が良く、消費電力を低減することができる。
【発明を実施するための最良の形態】
【００１６】
以下、本発明を実施するための最良の形態について、図１から図６を用いて説明する。
【００１７】
（実施の形態１）
図１は本実施の形態におけるアーク溶接装置の概略構成を示す図である。図１において、１は溶接出力回路、２は溶接を行うためのトーチ、３は溶接を行う対象としての母材、４は溶接出力回路の内部温度上昇抑制用に設けられた冷却用のファンモータ、５はファンモータ４を駆動または停止させるためのファン駆動回路、６はファン駆動回路５の駆動または停止を決定するために用いられ、ファンモータ４の駆動時間をカウントする第１のカウンタ部、７は溶接出力である電流（電流および／または電圧）を設定するための溶接出力設定部、８は溶接出力設定部７に設定された設定値に基づいて第１のカウンタ部６がカウントする時間を決定するための演算部である。
【００１８】
以上のように構成されたアーク溶接装置について、その動作を説明する。
【００１９】
溶接出力回路１は溶接出力設定部７で設定された設定値（電流値）に基づいて溶接出力を行い、トーチ２と母材３との間にアークを発生させて溶接を行う。なお、設定値は、溶接対象や溶接速度等の条件に基づいて設定されるものである。また、溶接出力が行われるとファンモータ４が駆動されて冷却が開始される。演算部８は、溶接出力設定部７からの設定値を受けて、後述するように溶接出力停止後のファンモータ４の駆動時間を決定する。この駆動時間は、前記設定値が所定の基準値に対して大か小かで決定される、または、アーク溶接装置の定格使用率に基づいて決定される。
【００２０】
一例として、設定値の大小に基づいて溶接出力停止後のファンモータ４の駆動時間を決定する場合について説明する。例として、溶接定格出力３５０Ａ、定格使用率が１０分周期で６０％のアーク溶接装置について説明する。なお、このアーク溶接装置の場合、設定電流値が２７０Ａ以下である場合には使用率１００％で動作させることが可能であり、３５０Ａである場合には１０分間のうち６分間稼動させると４分間停止する必要があるものである。
【００２１】
設定値が２７０Ａ以下である場合には、演算部８の結果（溶接出力停止後のファンモータ駆動時間）を０とし、溶接出力停止後すぐにファンモータ４の駆動を停止する。また、２７０Ａより高い設定値の場合には、演算部８の結果を２４０秒とし、溶接出力停止後４分間（２４０秒間）ファンモータ４の駆動を継続してその後停止する。なお、この２４０秒という時間は、定格出力である３５０Ａで使用したときにファンモータ４を駆動する必要がある時間であり、予め求めておくものである。
【００２２】
次に、駆動時間を決定する別の例として、アーク溶接装置の定格使用率に基づいて決定する場合について説明する。溶接定格出力３５０Ａ、定格使用率が１０分周期で６０％のアーク溶接機であり、アーク溶接装置の定格使用率により設定する場合には、演算部８の計算例としては下記の式を用いる。
【００２３】
【数１】
2008000805.tif 000003
【００２４】
上記のような簡単な式によって、溶接出力停止後のファンモータ４の駆動時間を決定する。なお、上式は、アーク溶接装置の許容使用率を求める式である、許容使用率（％）＝（定格出力電流／電流設定値）＾２×定格使用率（％）に基づくものである。
【００２５】
上記の溶接出力停止後のファンモータ駆動時間を求める式において、例えば、設定値を定格出力である３５０Ａとして溶接を行う場合には、計算結果は４分となり、溶接出力停止後４分間ファンモータ４の駆動を継続して行い、その後停止する。
【００２６】
また、設定値を３００Ａとした場合には、計算結果は２分となり、溶接出力停止後２分間ファンモータ４の駆動を継続して行い、その後停止する。
【００２７】
また、設定値を２７０Ａ以下に設定している場合には、上記の溶接出力停止後のファンモータ駆動時間を求める式において計算結果はマイナスの値となり、すなわちファンモータ４を駆動させる必要がないので、溶接出力停止後すぐにファンモータ４の回転を停止する。なお、溶接出力停止後のファンモータ４の駆動時間は、第１のカウンタ部６を用いてカウントされ、カウント値が計算された駆動時間に達すると、ファン駆動回路５を介してファンモータ４を停止するものである。
【００２８】
以上のように、本実施の形態によれば、溶接出力設定部７で設定された溶接出力の設定値によりファンモータ４の溶接出力停止後の駆動時間を適切に設定することができるので、ファンモータ４の駆動に伴う消費電力を抑えることができる。
【００２９】
（実施の形態２）
図２は本実施の形態におけるアーク溶接装置の概略構成を示す図である。本実施の形態において、実施の形態１と同様の箇所については同一の符号を付して詳細な説明を省略する。図２において、９は溶接出力回路１から出力される出力電流を検出する電流検出器である。図２のように構成されたアーク溶接装置について、その動作を説明する。
【００３０】
溶接出力回路１は、溶接出力設定部７で設定された設定値に基いて溶接出力を行い、トーチ２と母材３との間にアークを発生させて溶接を行う。また、演算部８は、電流検出器９から出力電流値に関する情報を受けてファンモータ４の駆動時間を決定する。この駆動時間は、前記出力電流値が所定の基準値に対して大か小かで決定される、またはアーク溶接装置の定格使用率により決定される。
【００３１】
一例として、出力電流値の大小に基づいて溶接出力停止後のファンモータ４の駆動時間を決定する場合について説明する。溶接定格出力３５０Ａ、定格使用率が１０分周期で６０％のアーク溶接装置について説明する。なお、このアーク溶接装置の場合、電流値が２７０Ａ以下である場合には使用率１００％で動作させることが可能であり、３５０Ａである場合には１０分間のうち６分間稼動させると４分間停止する必要があるものである。
【００３２】
電流検出器９が検出した出力電流値が２７０Ａ以下である場合には、演算部８の演算結果（溶接出力停止後のファンモータ駆動時間）を０とし、これにより溶接出力停止後すぐにファンモータ４の駆動を停止する。また、２７０Ａより高い出力電流の場合には、演算部８の結果を２４０秒とし、溶接出力停止後４分間（２４０秒間）ファンモータ４の駆動を継続してその後停止する。なお、この２４０秒という時間は、定格出力である３５０Ａで使用したときにファンモータ４を駆動する必要がある時間であり、予め求めておくものである。
【００３３】
次に、駆動時間を決定する別の例として、アーク溶接装置の定格使用率に基づいて決定する場合について説明する。溶接定格出力３５０Ａ、定格使用率が１０分周期で６０％のアーク溶接装置であり、アーク溶接装置の定格使用率により駆動時間を求める場合には、演算部８の計算例としては、下記の式を用いる。
【００３４】
【数２】
2008000805.tif 000004
【００３５】
上記のような簡単な式によって導くことができる値によって、駆動時間を決定する。なお、上式は、アーク溶接装置の許容使用率を求める式である、許容使用率（％）＝（定格出力電流／電流値）＾２×定格使用率（％）に基づくものである。
【００３６】
上記の溶接出力停止後のファンモータ駆動時間を求める式において、例えば、出力電流値が定格出力である３５０Ａで溶接を行う場合には、計算結果は４分となり、溶接出力停止後４分間ファンモータ４の駆動を継続して行いその後停止する。
【００３７】
また、出力電流値が３００Ａの場合には、計算による溶接出力停止後のファンモータ駆動時間は約２分となり、溶接出力停止後２分間ファンモータ４の駆動を継続してその後停止する。
【００３８】
また、出力電流値が２７０Ａ以下の場合には、上記の溶接出力停止後のファンモータ駆動時間を求める式において計算結果はマイナスの値となり、すなわちファンモータ４を駆動させる必要がないので、溶接停止後すぐにファンモータ４の回転を停止する。なお、溶接出力停止後のファンモータ４の駆動時間は、第１のカウンタ部６を用いてカウントされ、カウント値が計算された駆動時間に達すると、ファン駆動回路５を介してファンモータ４を停止するものである。
【００３９】
以上のように、本実施の形態によれば、電流検出器９により検出した電流出力値に基づいて溶接出力停止後のファンモータ４の駆動時間を適切に設定することができ、ファンモータ４の駆動に伴う消費電力を抑えることができる。
【００４０】
（実施の形態３）
図３は本実施の形態におけるアーク溶接装置の概略構成を示すである。本実施の形態において、実施の形態２と同様の箇所については同一の符号を付して詳細な説明を省略する。図３において、１０は電流検出器９からの信号を受け、溶接出力の時間をカウントする第２のカウンタ部である。以上のように構成されたアーク溶接装置について、その動作を説明する。
【００４１】
溶接出力回路１は溶接出力設定部７で設定された設定値に基づき溶接出力を行い、トーチ２と母材３との間にアークを発生させて溶接を行う。また、第２のカウンタ部１０は、電流検出器９からの信号を受けて溶接出力を行っている時間をカウントする。また、演算部８は第２のカウンタ部１０からのカウント値を受けてファンモータ４の溶接出力停止後の駆動時間を決定する。なお、この駆動時間は、後述するように、前記第２のカウンタ部１０のカウント値の所定の値に対する大小、またはアーク溶接装置の定格使用率により決定される。
【００４２】
一例として、カウント値の大小で溶接出力停止後のファンモータ４の駆動時間を決定する場合について説明する。
【００４３】
溶接定格出力３５０Ａ、定格使用率が１０分周期で６０％のアーク溶接機であり、３分以下の時間に溶接を連続して行った場合には、演算部８の結果を予め定めた１２０秒とし、溶接出力停止後２分間（１２０秒）ファンモータ４の駆動を継続してその後に駆動を停止する。また、３分より長く溶接を連続して行った場合には、演算部８の結果を予め定めた２４０秒とし、溶接出力停止後４分間（２４０秒）ファンモータ４の駆動を継続してその後ファンモータ４の駆動を停止する。
【００４４】
次に、駆動時間を決定する別の例として、アーク溶接装置の定格使用率に基づいて決定する場合について説明する。溶接定格出力３５０Ａ、定格使用率が１０分周期で６０％のアーク溶接機であり、アーク溶接装置の定格使用率により設定する場合には、演算部８の計算例としては、下記の式を用いる。
【００４５】
【数３】
2008000805.tif 000005
【００４６】
上記のような簡単な式によって導くことができる値によって、駆動時間を決定する。溶接時間が３分であった場合には、溶接出力停止後２分間ファンモータ４の駆動を継続してその後停止する。また、溶接時間が５分であった場合には、溶接出力停止後３．３分間ファンモータ４の駆動を継続してその後停止する。なお、前記駆動時間のカウントには第１のカウンタ部６を用いている。
【００４７】
以上のように、本実施の形態によれば、第２のカウンタ部１０でカウントした溶接時間により溶接出力停止後のファンモータ４の駆動時間を適切に設定することができるので、ファンモータ４の駆動に伴う消費電力を抑えることができる。
【００４８】
（実施の形態４）
図３は本実施の形態に置けるアーク溶接装置の概略構成を示すである。本実施の形態において、実施の形態１または実施の形態２と同様の箇所については同一の符号を付して詳細な説明を省略する。図３のように構成されたアーク溶接装置について、その動作を説明する。
【００４９】
溶接出力回路１は溶接出力設定部７で設定された設定値に基づき溶接出力を行い、トーチ２と母材３との間にアークを発生させて溶接を行う。また、第２のカウンタ部１０は、電流検出器９からの信号を受けて溶接出力時間をカウントする。また、演算部８は、溶接出力設定部７で設定された設定値と第２のカウンタ部１０からの信号を受けて、溶接出力停止後のファンモータ４の駆動時間を決定する。ここでは、出力電流値と溶接時間の値を同時に利用して決定する例について説明する。
【００５０】
例えば、溶接定格出力３５０Ａ、定格使用率が１０分周期で６０％のアーク溶接機であった場合には、まず、設定値によるファンモータ駆動時間を下記の式により演算する。
【００５１】
【数４】
2008000805.tif 000006
【００５２】
次に、設定値による上式で求めたファンモータ駆動時間に対して、第２のカウンタ部１０でカウントされる値の要素を下記のように演算式に加える。
【００５３】
【数５】
2008000805.tif 000007
【００５４】
上記のような簡単な式によって導くことができる値によって、ファンモータ４の駆動時間を決定する。出力電流設定値が定格出力の３５０Ａで溶接を４分間行う場合には、溶接出力停止後２．６分間ファンモータ４の駆動を継続してその後停止する。また、出力電流値が３００Ａで溶接を４分間行う場合には、溶接出力停止後１分間ファンモータ４の駆動を継続してその後停止する。
【００５５】
また、出力電流２７０Ａ以下に設定している場合には、上記の溶接出力停止後のファンモータ駆動時間を求める式において、計算結果はマイナスの値となり、すなわちファンモータ４を駆動させる必要がないので、溶接停止後すぐにファンモータ４の回転を停止する。なお、前記駆動時間のカウントには第１のカウンタ部６を用いている。
【００５６】
以上のように、本実施の形態によれば、溶接出力設定部７と第２のカウンタ部１０で決定された値により溶接出力停止後のファンモータ４の駆動時間を適切に設定することができるので、ファンモータ４の駆動に伴う消費電力を抑えることができる。
【００５７】
（実施の形態５）
図４は本実施の形態におけるアーク溶接装置の概略構成を示す図である。本実施の形態において、実施の形態４と同様の箇所については同一の符号を付して詳細な説明を省略する。図４のように構成されたアーク溶接装置について、その動作を説明する。
【００５８】
溶接出力回路１は溶接出力設定部７で設定された設定値に基づき溶接出力を行い、トーチ２と母材３との間にアークを発生させて溶接を行う。また、第２のカウンタ部１０は、電流検出器９からの信号を受けて溶接出力時間をカウントする。また、演算部８は電流検出器９からの出力電流値と第２のカウンタ部１０からの信号を受けて、溶接出力停止後のファンモータ４の駆動時間を決定する。ここでは、出力電流値と溶接時間の値を同時に利用して決定する例について説明する。
【００５９】
例えば、溶接定格出力３５０Ａ、定格使用率が１０分周期で６０％のアーク溶接機であった場合、まず、出力電流値によるファンモータ駆動時間を下記の式により演算する。
【００６０】
【数６】
2008000805.tif 000008
【００６１】
次に、設定値による上式で求めたファンモータ駆動時間に対して、第２のカウンタ部１０でカウントされる値の要素を下記のように演算式に加える。
【００６２】
【数７】
2008000805.tif 000009
【００６３】
上記のような簡単な式によって導くことができる値によって、ファンモータ４の駆動時間を決定する。例えば、出力電流値が定格出力の３５０Ａで溶接を４分間行う場合には、上記の式による溶接出力停止後のファンモータ駆動時間の計算結果は２．６分であり、溶接出力停止後２．６分間ファンモータ４の駆動を継続してその後停止する。また、出力電流値が３００Ａで溶接を４分間行うの場合には、上記の式による溶接出力停止後のファンモータ駆動時間の計算結果は１分であり、溶接出力停止後１分間ファンモータ４の駆動を継続してその後停止する。
【００６４】
また、出力電流が２７０Ａ以下に設定されている場合には、上記の溶接出力停止後のファンモータ駆動時間を求める式において、計算結果はマイナスの値となり、すなわちファンモータ４を駆動させる必要がないので、溶接停止後すぐにファンモータ４の回転を停止する。なお、上記時間のカウントには第１のカウンタ部６を用いている。
【００６５】
以上のように、本実施の形態によれば、溶接出力設定部７と第２のカウンタ部１０で決定された値により溶接停止後のファンモータ４の駆動時間を適切に設定することができ、ファンモータ４の駆動に伴う消費電力を抑えることができる。
【００６６】
（実施の形態６）
図５は本実施の形態におけるアーク溶接装置の概略構成を示す図である。本実施の形態において、実施の形態５と同様の箇所については同一の符号を付して詳細な説明を省略する。図５において、１１は溶接出力回路１内部の所定の位置に取り付けられており、一定の温度を超えた場合に異常信号を出力する温度異常検出器である。図５のように構成されたアーク溶接装置について、その動作を説明する。
【００６７】
溶接出力回路１は、溶接出力設定部７で設定された設定値に基づき溶接出力を行い、トーチ２と母材３との間にアークを発生させて溶接を行う。また、第２のカウンタ部１０は、電流検出器９からの信号を受けて溶接出力時間をカウントする。また、演算部８は、実施の形態５で説明したのと同様に、電流検出器９からの出力電流値と第２のカウンタ部１０からの信号を受けて、溶接出力停止後のファンモータ４の駆動時間を決定する。また、温度異常検出器１１は溶接出力回路１の内部温度上昇が一定温度を超えた場合に異常信号を演算部８に出力する。演算部８は異常信号を受信すると、実施の形態１から６で説明したように計算した溶接出力停止後のファンモータ４の駆動時間に対して、所定時間駆動時間を増加する。この増加する時間は、アーク溶接装置が通常の待機時の温度に復帰できる程度とし、アーク溶接装置の仕様や溶接条件等によって異なるが、例として１０分程度に設定する。
【００６８】
以上のように、本実施の形態によれば、温度異常検出器１１からの信号によりファンモータ４の駆動時間を増加することができるので、ファンモータ４を効率よく駆動することに加えて、温度異常が発生した場合にも溶接機内部温度を異常発生前の状態に戻すことができ、ファンモータ４の駆動時間を適切に設定することができて消費電力を抑えることができる。
【産業上の利用可能性】
【００６９】
本発明のアーク溶接装置は、冷却ファンを効率よく運転して消費電力を抑えることができるので、建機業界、自動車業界、造船業界等で用いる冷却ファンを備えたアーク溶接装置として産業上有用である。
【図面の簡単な説明】
【００７０】
【図１】本発明のアーク溶接装置の実施の形態１における概略構成を示す図
【図２】本発明のアーク溶接装置の実施の形態２における概略構成を示す図
【図３】本発明のアーク溶接装置の実施の形態３または４における概略構成を示す図
【図４】本発明のアーク溶接装置の実施の形態５における概略構成を示す図
【図５】本発明のアーク溶接装置の実施の形態６における概略構成を示す図
【図６】従来のアーク溶接機の概略構成を示す図
【符号の説明】
【００７１】
１    溶接出力回路
２    トーチ
３    母材
４    ファンモータ
５    ファン駆動回路
６    第１のカウンタ部
７    溶接出力設定部
８    演算部
９    電流検出器
１０  第２のカウンタ部
１１  温度異常検出器
２１  電源
２２  リアクタ
２３  スイッチング素子
２４  シャント抵抗
２５  ファン
２６  溶接部
２７  転流ダイオード
２８  ノイズ除去増幅部
２９  ファン駆動回路
【図１】
2008000805.tif 000010
【図２】
2008000805.tif 000011
【図３】
2008000805.tif 000012
【図４】
2008000805.tif 000013
【図５】
2008000805.tif 000014
【図６】
2008000805.tif 000015